(57)【特許請求の範囲】
【請求項１】
トレッド部からサイドウォール部をへてビード部のビードコアに至るプライ本体とこのプライ本体に連なり前記ビードコアをタイヤ軸方向内側から外側に巻上げられるプライ巻上げ部とを有する内、外の２枚のカーカスプライからなるカーカス、このカーカスの外側かつトレッド部に配されるベルト層、及び前記プライ本体とプライ巻上げ部との間を、ビードコアから半径方向外方にのびるビードエーペックスゴムとを具え、前記カーカスプライのカーカスコードのタイヤ周方向に対するコード角度を７０〜９０度とし、前記ベルト層のベルトコードのタイヤ周方向に対するコード角度を３０度以下とする自動二輪車用タイヤであって、
内、外のカーカスプライは、プライ巻上げ部がトレッド端ＴＥ近傍まで立ち上がるハイターンアップ構造であり、
かつ内のカーカスプライのプライ巻上げ部の半径方向外端を、外のカーカスプライのプライ巻上げ部の半径方向の外端よりも高所とし、
しかも前記内、外のカーカスプライのプライ巻上げ部の半径方向の外端は、前記ビードエーペックスゴムの高さよりも大とするとともに、
前記カーカスとベルト層との間に、一方のサイドウォール部から他方のサイドウォール部までのびかつ補強コードを前記カーカスのコード角度より小かつベルト層のコード角度より大である４０〜６０度のコード角度で補強コードを配列した１枚の補強層を設け、
この補強層の半径方向内端は、前記外のカーカスプライの前記プライ巻上げ部の半径方向外端よりも下方かつ前記ビードコアの半径方向外縁よりも上方で途切れ、その半径方向内端のビードベースラインからの高さを４０ｍｍ以下とするとともに、
前記補強層は、外のカーカスプライのプライ本体部に隣接して前記ビードエーペックスとの間を前記ビードエーペックス上端を越えてのびていることにより、前記補強層は前記内、外のカーカスプライのプライ巻上げ部のいずれとも重複する重複部分をビードエーペックスゴム上方に有することを特徴とする自動二輪車用タイヤ。
【請求項２】
前記ベルト層７は、略０度のコード角度を有して螺旋状に巻回した１枚のベルトプライから形成されることを特徴とする請求項１記載の自動二輪車用タイヤ。
【発明の詳細な説明】
【０００１】
【発明の属する技術分野】
本発明は、横剛性を向上でき、特に呼称偏平率を７０％以上とした大型自動二輪車用のタイヤとして好適な自動二輪車用タイヤに関する。
【０００２】
【従来の技術、および発明が解決しようとする課題】
近年、高速道路網の整備化、車両の高速化、高性能化に伴い、自動二輪車用タイヤにあっても、高速走行性能等に優れるラジアル構造のもが広く採用されている。
【０００３】
この構造のものは、カーカスコードがラジアル配列するが故に、横剛性を充分に確保できないという問題があり、従来、車両重量が比較的軽い中型車両、およびスポーツモデル等の車両に対しては、タイヤ偏平率を大巾に減じ、柔軟なサイドウォール部の領域を減少させることによって剛性不足を補っていた。
【０００４】
しかし、呼称偏平率が７０％以上のタイヤ、特に排気量が１０００ｃｃを越えるような大型車両に用いられるタイヤでは、横剛性の不足から車両を充分に支えることができず、低速域からふらつきが発生するなど操縦安定性を損ねていた。なお横剛性を高めるために、硬質のビードエーペックスゴムをトレッド端近傍まで立上げる等の手段も採用されているが、充分な効果を得るに至っていない。
【０００５】
そこで本発明は、カーカスとベルト層との中間のコード角度を有する補強層をサイドウォール部間に架け渡すことを基本として、呼称偏平率が７０％以上のタイヤにおいても、横剛性を効果的に向上でき操縦安定性を向上しうる自動二輪車用タイヤの提供を目的としている。
【０００６】
【課題を解決するための手段】
前記目的を達成するために、本発明の自動二輪車用タイヤは、トレッド部からサイドウォール部をへてビード部のビードコアに至るプライ本体とこのプライ本体に連なり前記ビードコアをタイヤ軸方向内側から外側に巻上げられるプライ巻上げ部とを有する内、外の２枚のカーカスプライからなるカーカス、このカーカスの外側かつトレッド部に配されるベルト層、及び前記プライ本体とプライ巻上げ部との間を、ビードコアから半径方向外方にのびるビードエーペックスゴムとを具え、前記カーカスプライのカーカスコードのタイヤ周方向に対するコード角度を７０〜９０度とし、前記ベルト層のベルトコードのタイヤ周方向に対するコード角度を３０度以下とする自動二輪車用タイヤであって、
内、外のカーカスプライは、プライ巻上げ部がトレッド端ＴＥ近傍まで立ち上がるハイターンアップ構造であり、
かつ内のカーカスプライのプライ巻上げ部の半径方向外端を、外のカーカスプライのプライ巻上げ部の半径方向の外端よりも高所とし、
しかも前記内、外のカーカスプライのプライ巻上げ部の半径方向の外端は、前記ビードエーペックスゴムの高さよりも大とするとともに、
前記カーカスとベルト層との間に、一方のサイドウォール部から他方のサイドウォール部までのびかつ補強コードを前記カーカスのコード角度より小かつベルト層のコード角度より大である４０〜６０度のコード角度で補強コードを配列した１枚の補強層を設け、
この補強層の半径方向内端は、前記外のカーカスプライの前記プライ巻上げ部の半径方向外端よりも下方かつ前記ビードコアの半径方向外縁よりも上方で途切れ、その半径方向内端のビードベースラインからの高さを４０ｍｍ以下とするとともに、
前記補強層は、外のカーカスプライのプライ本体部に隣接して前記ビードエーペックスとの間を前記ビードエーペックス上端を越えてのびていることにより、前記補強層は前記内、外のカーカスプライのプライ巻上げ部のいずれとも重複する重複部分をビードエーペックスゴム上方に有することを特徴としている。
【０００７】
また請求項２に係る発明は、前記ベルト層が、略０度のコード角度を有して螺旋状に巻回した１枚のベルトプライから形成されることを特徴とする。
【０００８】
【発明の実施の形態】
以下、本発明の実施の形態を、図示例とともに説明する。
図１において、自動二輪車用ラジアルタイヤ１（以下タイヤ１という）は、トレッド部２と、その両端から半径方向内方にのびるサイドウォール部３と、各サイドウォール部３の半径方向内方端に位置するビード部４とを具え、本例では、タイヤサイズが１６０／８０Ｒ１７とした大型自動二輪車の後輪用タイヤとして形成される場合を例示している。
【０００９】
又前記タイヤ１は、前記ビード部４、４間に架け渡されるカーカス６と、その外側かつトレッド部２に配されるベルト層７との間に、補強層１２を設けている。
【００１０】
なお前記トレッド部２は、タイヤ赤道ＣＯからトレッド端ＴＥに向かって小さな曲率半径を有して凸円弧状に湾曲してのびる。このときのトレッド赤道点ＴＣからトレッド端ＴＥまでの高さＨと、タイヤ赤道ＣＯからトレッド端ＴＥまでの巾Ｌと比であるキャンバー量Ｈ／Ｌは、０．４〜０．６程度であって、これにより大きなバンク角での旋回走行を可能としている。
【００１１】
又前記カーカス６は、カーカスコードをタイヤ周方向に対して７０〜９０度のコード角度で配列した内、外２枚のカーカスプライ６Ａ、６Ｂからなり、前記カーカスコードとして、ナイロン、レーヨン、ポリエステル等の有機繊維コードが用いられる。
【００１２】
各カーカスプライ６Ａ、６Ｂは、トレッド部２からサイドウォール部３をへてビードコア５に至るプライ本体９Ａ、９Ｂの両端に、前記ビードコア５の廻りでタイヤの内側から外側に巻上げられるプライ巻上げ部１０Ａ、１０Ｂを有する。このプライ本体９とプライ巻上げ部１０との間には、ビードコア５から半径方向外方にのびるビードエーペックスゴム８が充填される。このビードエーペックスゴム８の半径方向外端のビードベースライン１１からのビードエーペック高さＨＢは、特に規制されないが、横剛性の観点から、前記トレッド端ＴＥのビードベースライン１１からの高さＨＴの０．５倍以上とするのがよい。
【００１３】
又前記プライ巻上げ部１０Ａ、１０Ｂは、双方がトレッド端ＴＥ近傍まで立ち上がるハイターンアップの巻上げ構造をなす。
【００１４】
又前記ベルト層７は、ベルトコードをタイヤ周方向に対して３０度以下のコード角度で配列した１枚以上のベルトプライ、本例では略０度のコード角度を有して螺旋状に巻回した１枚のベルトプライ７Ａから形成される。ベルトコードとしては、ナイロン、レーヨン、ポリエステル、芳香族ポリアミド等の有機繊維コード、特に高モジュラスの芳香族ポリアミド繊維コードが好適に使用できる。
【００１５】
なおベルト層７としては、ベルトコードを１０〜３０度のコード角度で傾斜配列させたベルトプライで形成することもできる。このときには、通常２枚のプライが用いられ、各ベルトコードをプライ間相互で交差させる。
【００１６】
次に前記補強層１２は、前記カーカス６とベルト層７との間を通って、一方のサイドウォール部３から他方のサイドウォール部３にのびる１枚の補強プライ１２Ａから形成される。
【００１７】
この補強プライ１２Ａは、ナイロン、レーヨン、ポリエステル等の有機繊維の補強コードを、カーカスのコード角度より小かつベルト層のコード角度より大きいコード角度を有して配列している。又前記補強プライ１２Ａは、カーカス６のプライ本体９Ｂに隣接してのび、本例では、その半径方向内端１２ＡＥは、前記プライ巻上げ部１０Ａ、１０Ｂの半径方向外端よりも下方かつ前記ビードコア５の半径方向外縁５Ｅよりも上方で終端している。従って、該補強プライ１２Ａは、前記プライ巻上げ部１０Ａ、１０Ｂの双方と重複する重複部分１３を有している。さらに詳しくは、この補強層１２の半径方向内端１２ＡＥは、前記外のカーカスプライ６Ｂのプライ巻上げ部１０Ｂの半径方向外端よりも下方かつ前記ビードコアの半径方向外縁よりも上方で途切れ、従って、補強層１２は、外のカーカスプライ６Ｂのプライ本体部１０Ｂに隣接して前記ビードエーペックスゴム８との間を、ビードエーペックスゴム８上端を越えてのびていることとなることにより、前記補強層は前記内、外のカーカスプライのプライ巻上げ部のいずれとも重複する重複部分をビードエーペックスゴム上方に有することとなる。
【００１８】
このような補強層１２は、補強コードとカーカスコードとの間でコードが互いに交差するトライアングル構造を形成し、剛性が特に不足するショルダー部分を含むサイドウォール部３、３間を補強するため、タイヤの横剛性を効果的に向上できる。
【００１９】
なお横剛性を確実に高めるために、前述の如く、補強プライ１２Ａは、前記プライ巻上げ部１０Ａ、１０Ｂの双方と重複させ、その内端１２ＡＥ近傍を拘束する。これにより横剛性の向上効果、タイヤ製造上のバラツキにより、タイヤ周方向に沿って剛性バラツキを招くなどユニフォミティーを損ねかつ耐久性を低下させるのを防止する。そのために、特に前記内端１２ＡＥのビードベースライン１１からの高さＨ１を４０ｍｍ以下とするのがよい」
【００２０】
又補強プライ１２Ａのコード角度は、４０〜６０度の範囲とするのが好ましく、６０度を越えると、横剛性の向上効果が充分に達成できなくなる。又４０度未満では、ラジアルタイヤの製造工程において、カーカス６に補強層１２を貼付けたグリーンカバーを膨らます際、グリーンカバーの剛性が上がりすぎ、精度良く膨らなくなるとともに、補強層１２のコード角度が不均一に変化しかつこれに原因して必要な補強層１２の巾が得られなくなるなど、ユニフォミティーの低下を招く。
【００２１】
又横剛性をより効果的に、かつカーカスとのバランス良く高めるためには、補強コードを、カーカスコードと等しい材質、太さ、及びコード密度（打ち込み本数）とすることが好ましい。
【００２２】
なお本願のタイヤは、中型車両用およびスポーツモデルの車両用として、採用することができるが、特に呼称偏平率が７０％以上のタイヤにおいて効果を顕著に発揮できる。
【００２３】
【実施例】
タイヤサイズが１６０／８０Ｒ１７でありかつ図１に示す基本構成を有するタイヤを、表１の仕様で試作するとともに、各試供タイヤにおけるタイヤの横剛性、走行性能（タイヤ剛性感、ふらつき、直進安定性、旋回安定性）を比較し、その結果を表１に記載した。
【００２４】
・横剛性：
試供タイヤの横バネ定数を、リム（１６×ＭＴ３．５０）、内圧（２２５ｋｐａ）、荷重（２５９ｋｇ）の条件のもとで測定するとともに、キャンバー角が０度，２０度，３０度，４０度の時の縦バネ定数を測定した。
【００２５】
・走行性能
試供タイヤを、リム（１６×ＭＴ３．５０）、内圧（２８０ｋｐａ）のもとで１５００ｃｃ（４サイクル）の大型自動二輪車の後輪に装着し、乾燥舗装路面を実車走行したときの、ライダーの官能評価により５点法で採点した。数値が大きいほど良好である。なお前輪に装着したタイヤの仕様を表２に示す・
【００２６】
【表１】
0003878318.tif 000002
【００２７】
【表２】
0003878318.tif 000003
【００２８】
表１に示すように、実施例のタイヤは、縦剛性の増加を抑制しながら、横剛性を大巾に向上でき、操縦安定性が著しく向上されて入りのが確認できる。
【００２９】
【発明の効果】
本発明の自動二輪車用タイヤは、叙上の如く構成しているため、横剛性を効果的に向上でき、操縦安定性を大巾に向上しうる。
【図面の簡単な説明】
【図１】本発明の一実施例のタイヤの断面図である。
【符号の説明】
２  トレッド部
３  サイドウォール部
４  ビード部
５  ビードコア
６  カーカス
６Ａ、６Ｂ  カーカスプライ
７  ベルト層
９、９Ａ、９Ｂ  プライ本体
１０、１０Ａ、１０Ｂ  プライ巻上げ部
１２  補強層
１２ＡＥ  補強層の半径方向内端
【図１】
0003878318.tif 000004